(57)【要約】【課題】写真紙を表紙として容易に用いることが可能なハードカバーを提供する。【解決手段】ハードカバーＨは、背部３と、当該背部２ｂの両端部に折り曲げ可能に設けられた表紙部２と、を備えるハードカバーＨにおいて、表面に画像が表示された写真紙５と、前記表紙部２に対応する前記写真紙５の領域の裏面、及び前記背部３に対応する前記写真紙５の領域の裏面に貼着される厚紙１０と、前記写真紙５の画像を透過する透明領域２０ａを有し、前記写真紙５の表面と厚紙１０の周縁を覆うようにして貼着されるフィルム２０と、を備えている。【選択図】図３
2011056779.tif 000002
【特許請求の範囲】
【請求項１】
背部と、当該背部の両端部に折り曲げ可能に設けられた表紙部と、を備えるハードカバーにおいて、
表面に画像が表示された写真紙と、
前記表紙部に対応する前記写真紙の領域の裏面、及び前記背部に対応する前記写真紙の領域の裏面に貼着される厚紙と、
前記写真紙の画像を透過する透明領域を有し、前記写真紙の表面と厚紙の周縁を覆うようにして貼着されるフィルムと、
を備えていることを特徴とするハードカバー。
【請求項２】
前記フィルムは、矩形状に形成されその四隅が斜めにカットされており、その斜めにカットされた部分の斜辺と前記写真紙の端部で折り返される折り返し片との接続点と、前記写真紙の上下端部で折り返される上下折り返し片の折曲線と前記写真紙の左右端部で折り返される左右折り返し片の折曲線との交点と、を垂直、又は水平に結ぶ谷折り用の折曲線を有し、且つ２つの折曲線によって外側に形成される角度を２等分する２等分線上に山折り用の折曲線を有しており、
２つの前記折曲線がそれぞれ谷折り及び山折されつつ、前記左右折り返し片及び上下折り返し片によって厚紙の周縁を覆うようにして折り畳まれることを特徴とする請求項１に記載のハードカバー。
【請求項３】
前記フィルムは、写真紙と同じ大きさの本体部と、その本体部の上下に延長して形成される上下折り返し片と、左右に延長して形成される左右折り返し片と、を備え、
前記左右折り返し片は、外側の端部が上下に突き出すように形成された突出片を有しており、
前記フィルムは、前記左右折り返し片及び上下折り返し片によって、厚紙の周縁を覆うようにして折り畳まれることを特徴とする請求項１に記載のハードカバー。
【発明の詳細な説明】
【技術分野】
【０００１】
本発明は、ハードカバーに関するものであって、例えばアルバム等の冊子の表紙に用いられるハードカバーに関する。
【背景技術】
【０００２】
近年、デジタル印刷機の普及により、写真紙を冊子状に製本したアルバムが多く存在する。このようなアルバムの表紙には、耐久性と体裁を向上させるために、簡単には折れ曲がらないように硬くした厚い紙が用いられている（例えば、特許文献１参照）。
【０００３】
また、近年、デジタル印刷機の普及により、ユーザによって撮影された複数の写真紙を製本する機会が増えつつある。このような場合には、予め作成されたハードカバーに前記複数の写真紙が冊子として綴じられる。
【先行技術文献】
【特許文献】
【０００４】
【特許文献１】特許第３８７８８４３号公報
【発明の概要】
【発明が解決しようとする課題】
【０００５】
このようにユーザによって撮影された複数の写真紙を製本する場合において、自ら撮影した写真紙を表紙として用いたいというユーザからの要望がある。しかしながら、一般的に表紙は冊子よりも少し大きな寸法の用紙が必要となり、写真紙をそのまま表紙として用いることができず、表紙とすべき写真紙を別の用紙で出力する手間が生じる。
【０００６】
本発明は、このような問題の解消を一つの課題とし、その目的の一例は、写真紙を表紙として容易に用いることが可能なハードカバーを提供するものである。
【課題を解決するための手段】
【０００７】
上記課題を解決するため、請求項１に記載のハードカバー（Ｈ）は、背部（３）と、当該背部の両端部に折り曲げ可能に設けられた表紙部（２）と、を備えるハードカバーにおいて、表面に画像が表示された写真紙（５）と、前記表紙部に対応する前記写真紙の領域の裏面、及び前記背部に対応する前記写真紙の領域の裏面に貼着される厚紙（１０）と、前記写真紙の画像を透過する透明領域（２ａ）を有し、前記写真紙の表面と厚紙の周縁を覆うようにして貼着されるフィルム（２０、３０）と、を備えていることを特徴とする。
【０００８】
この発明によれば、写真紙をフィルムで覆ってハードカバーが製造されるため、写真紙を表紙として用いてハードカバーを容易に製造することができる。また、このハードカバーによれば、フィルムによって長期間に亘って経年変化による写真紙の画像の変色や汚れを防止可能である。
【０００９】
また、請求項２に記載のハードカバーは、請求項１に記載のハードカバーにおいて、前記フィルム（２０）は、矩形状に形成されその四隅が斜めにカットされており、その斜めにカットされた部分の斜辺と前記写真紙の端部で折り返される折り返し片との接続点と、前記写真紙の上下端部で折り返される上下折り返し片（２０ｃ）の折曲線（２１）と前記写真紙の左右端部で折り返される左右折り返し片（２０ｂ）の折曲線（２２）との交点と、を垂直、又は水平に結ぶ谷折り用の折曲線（２３）を有し、且つ２つの折曲線によって外側に形成される角度を２等分する２等分線上に山折り用の折曲線（２４）を有しており、２つの前記折曲線がそれぞれ谷折り及び山折されつつ、前記左右折り返し片及び上下折り返し片によって厚紙の周縁を覆うようにして折り畳まれることを特徴とする。
【００１０】
この発明によれば、容易にフィルムを折り畳んでハードカバーを製造することができるとともに、隅部をきれいに折り畳むことができるので、見栄えを良くすることができる。
【００１１】
また、請求項３に記載のハードカバーは、請求項１に記載のハードカバーにおいて、前前記フィルム（３０）は、写真紙と同じ大きさの本体部（３１）と、その本体部の上下に延長して形成される上下折り返し片（３２）と、左右に延長して形成される左右折り返し片（３３）と、を備え、前記左右折り返し片は、外側の端部が上下に突き出すように形成された突出片（３４）を有しており、前記フィルムは、前記左右折り返し片及び上下折り返し片によって、厚紙の周縁を覆うようにして折り畳まれることを特徴とする。
【００１２】
この発明によれば、容易にフィルムを折り畳んでハードカバーを製造することができるとともに、隅部をきれいに折り畳むことができるので、見栄えを良くすることができる。
【発明の効果】
【００１３】
本発明によれば、写真紙を表紙として用いてハードカバーを容易に製造することができる。また、見栄えの良いハードカバーを容易に製造することができる。
【図面の簡単な説明】
【００１４】
【図１】ハードカバーを閉じた時の斜視図である。
【図２】ハードカバーを開いた時の正面図である。
【図３】ハードカバーの構成を示す図である。
【図４】銀塩写真紙の層構成の一例を示す図である。
【図５】昇華転写紙の層構成の一例を示す図である。
【図６】シートの形状を示す正面図である。
【図７】図６のＸ部分の拡大図であって、隅部におけるシートのくるみ処理を説明するための図である。
【図８】他の実施形態のシートの形状を示す正面図である。
【図９】図８のＹ部分の拡大図であって、他の実施形態の隅部におけるシートのくるみ処理を説明するための図である。
【図１０】ハードカバーの製造工程を説明するための図である。
【図１１】他の実施形態の隅部におけるシートのくるみ処理を説明するための図である。
【発明を実施するための形態】
【００１５】
以下、本発明の望ましい形態について図面に基づいて説明する。
【００１６】
図１乃至図３に示すように、ハードカバーＨは、平面が略矩形状のカバー本体１を備えている。このカバー本体１は、表表紙２ａと裏表紙２ｂで構成される表紙部２と、この表表紙２ａと裏表紙２ｂとの間において当該表表紙２ａと裏表紙２ｂとを連結する背表紙３ａで構成される背部３と、を備えている。この背部３は、ハードカバー本体１における略中央部において、幅方向（カバー本体１の高さ方向に直交する方向）に所定の背幅を有している。この背幅は表紙部２へ挿入する冊子の厚みと略等しい（または、表裏表紙２ａ、２ｂの厚みを加算した厚さ）長さを有する。また、当該表表紙２ａと裏表紙２ｂは、背表紙３ａと連結している部分において開閉自在に折り曲げることができる。なお、このようなハードカバー本体１の内側には、図示しないが、例えば、写真紙が保持された冊子等が取り付けられる。
【００１７】
このカバー本体１は、図１乃至図３に示すように、表面に画像が表示された写真紙５と、表表紙２ａ及び裏表紙２ｂに対応する写真紙５の領域の裏面及び背表紙３ａに対応する写真紙５の領域の裏面に貼着される厚紙１０と、前記写真紙５の表面と厚紙１０の周縁を覆うようにして貼着されるフィルム２０と、を備えている。
【００１８】
写真紙５は、表紙部２及び背部３を合わせた大きさを有し、一般的に銀塩写真紙や昇華転写紙と称される紙材が用いられる。
【００１９】
ここで、本実施形態で用いられる写真紙５の層構成の一例について説明する。
【００２０】
銀塩写真紙５０は、例えば、図４に示すように、パルプ紙など厚紙５１ａの上下にポリエチレン樹脂５１ｂを備えた基材層５１の上面にシアン、マゼンダ、イエローなどの色素像５２ａ〜５２ｃによって画像が形成される感光層５２を備え、当該感光層５２の上面には保護層５３を備えている。
【００２１】
また、昇華転写紙６０は、例えば、図５に示すように、少なくとも基材層６１及び色材によって画像が形成される色材受容層６２を備えるものである。また、色材受容層６２の上面には保護層６５を備えている。ここにおいて、基材としては、ミクロボイドを有するプラスチックフィルムの単層または複数層からなるもの、或いはプラスチックフィルムまたは紙（例えば王子製紙（株）製「ＯＫコート」）からなる支持体をミクロボイドを有するプラスチックフィルムを貼り合わせてなる積層材からなるものが、転写時に良好なクッション性を付与し良好な画像を形成するので好ましい。ミクロボイドを有するプラスチックフィルムはポリプロピレンやポリエチレンテレフタレートからなるものが一般的であり、一例として東洋紡績（株）製「Ｐ４２５５」が挙げられる。
【００２２】
前記した支持体とミクロボイドを有するプラスチックフィルムを積層したものは、ミクロボイドを有するプラスチックフィルム単体のときに生じるプリント時の熱によるカールが支持体により防止されるので好ましい。また、支持体とミクロボイドを有するプラスチックフィルムの積層構造は、その他に、支持体を中心にその両側にミクロボイドを有するプラスチックフィルムを積層した３層以上の多層構造であっても良い。
【００２３】
基材の色材受容層６２と反対側の層６３は、カール防止及び湿気防止の役割を果たすもので、これらの役割を果たすプラスチックフィルムまたは樹脂層または紙層で構成することができる。この基材の色材受容層６２と反対側の層６３は、一般的に、色材受容層６２に面するプラスチックフィルムの１／３〜３倍の厚さで構成される。
【００２４】
また、基材の色材受容層６２と反対側の面に必要に応じて、プリンター給紙時の紙間摩擦力の低減のために裏面層を設けても良い。また、裏面層は筆記適性を向上させるための筆記適性層を含むものであっても良い。
【００２５】
また、色材受容層６２としては、昇華転写受像層として一般に用いられているもの、例えば、飽和ポリエステルと塩化ビニル共重合体の混合樹脂からなるものを適用することができる。なお、色材受容層６２はオーバーコート層の転写が可能であるものが望ましい。
【００２６】
厚紙１０は、ボール紙を複数重ね、その隣り合う各ボール紙を貼り合わせて形成される。この厚紙１０は、図２及び図３に示すように、表表紙２ａ、裏表紙２ｂ、背表紙３ａとほぼ同じ大きさ又は少し小さな大きさを有する３つの厚紙ブロック４ａ〜４ｃを備えており、それぞれの厚紙ブロック４ａ〜４ｃが表表紙２ａ、裏表紙２ｂ、背表紙３ａに対応する写真紙５の裏面に接着剤により貼着される。
【００２７】
フィルム２０は、図６に示すように、前記写真紙５の画像を透過させて表示するための透明な領域２０ａを有し、たとえば柔軟性（伸縮性）を有するポリプロピレン製のシートなど合成樹脂製のシートが用いられる。本実施形態において、このフィルム２０の透明な領域（以下、「透明領域２０ａ」と称する。）は、表紙部２と背部３とをあわせた大きさを有する。このフィルム２０の全体形状は、写真紙５よりも一回り大きく形成され、且つ四隅が斜めにカットされて形成されており、このフィルム２０は、前記写真紙５の表面に積層され、接着剤により貼着される。また、写真紙５が貼着される領域の外側にはみ出した部分は裏面側へと折り返される折り返し片として機能し、写真紙５が貼着される領域の上下外側に有する上下折り返し片２０ｂ、２０ｂは、写真紙５の上端縁および下端縁において裏面側へと折り返されて厚紙１０の上端部及び下端部をくるむようにして接着剤により貼着される。また、写真紙５が貼着される領域の左右外側に有する左右折り返し片２０ｃ、２０ｃは、写真紙５の左端縁および右端縁において裏面側へと折り返されて厚紙１０の左端部及び右端部をくるむようにして接着剤により貼着される。
【００２８】
以上に説明したようにハードカバーＨは、写真紙５と、写真紙５の裏面に貼り付けられる厚紙１０と、当該写真紙５の表面と厚紙１０の周縁とをくるむ（覆う）フィルム２０と、を備えており、例えば、写真紙５を表紙として用いてハードカバーＨを容易に製造することができるとともに、このハードカバーＨによれば、フィルム２０によって長期間に亘って経年変化による写真紙５の画像の変色や汚れを防止可能である。
【００２９】
ここで、ハードカバーＨの隅部におけるシートの折り畳み処理について説明する。本実施形態のハードカバーＨは、上記に示すように写真紙５の表面と厚紙１０の周縁がフィルム２０によって覆われる構成を有するが、より見栄えを良くするには、隅部のフィルム２０の折り畳み処理が必要不可欠である。
【００３０】
そこで、本実施形態のフィルム２０は、図６及び図７に示すように、斜めにカットされた部分の斜辺と折り返し片との接続点と、上下折り返し片の折曲線２１と左右折り返し片の折曲線２２との交点と、を垂直、又は水平に結ぶ谷折り用の折曲線２３を有し、且つ２つの折曲線によって外側に形成される角度を２等分する２等分線上に山折り用の折曲線２４を有する。そして、フィルム２０は、例えば、図７（ｂ）に示すように、折曲線２３、２４が谷折り又は山折されつつ、左右折り返し片２０ｃが厚紙１０の側面に沿って折り畳まれ更に厚紙１０の内面上に折り畳まれた後、上下折り返し片２０ｂが厚紙１０の端面に沿って折り畳まれ更に厚紙１０の内面であって左右折り返し片２０ｃ上に折り畳まれる。
【００３１】
このようにしてフィルム２０がハードカバーＨの隅部においてきれいに折り畳まれることにより、ハードカバーＨの見栄えが良好となる。
【００３２】
次に、フィルム２０の他の折り畳み処理の実施形態を説明する。
【００３３】
フィルム３０は、図８及び図９に示すように、透明領域２０ａを有し写真紙５と同じ大きさの本体部３１と、その本体部３１の上下に延長して形成される上下折り返し片３２と、左右に延長して形成される左右折り返し片３３と、を備えている。また、上下折り返し片３２は先細り形状となるように端部が斜めにカットされて形成されている。また、左右折り返し片３３は、外側の端部が上下に突き出すように形成された突出片３４を有して形成されている。
【００３４】
そして、フィルム３０は、例えば、図９（ｂ）に示すように、図８に示した点線に沿って左右折り返し片３３が厚紙１０の側面、厚紙１０の内面の順に折り畳まれ、更に突出片３４が図８に示した点線に沿って厚紙１０の上面（又は下面）に折り畳まれた後、上下折り返し片３２が図８に示した点線に沿って前記突出片３４上に折り畳まれ、更に厚紙１０の内面側であって左右折り返し片３３上に折り畳まれる。
【００３５】
このようにしてフィルム２０がハードカバーＨの隅部においてきれいに折り畳まれることにより、ハードカバーＨの見栄えが良好となる。
【００３６】
また、上記実施形態では、図６及び図７に示すように、斜めにカットされた部分の斜辺と折り返し片との接続点と、上下折り返し片２０ｂの折曲線２１と左右折り返し片２０ｃの折曲線２２との交点と、を垂直、又は水平に結ぶ谷折り用の折曲線２３を有する構成となっているが、一方の当該谷折り用の折曲線２３を、図１１に示すように、上下折り返し片２０ｂの折曲線２１と山折り用の折曲線２４とによって内側に形成される角度を２等分する２等分線上に有し、他方の当該谷折り用の折曲線２３を、左右折り返し片２０ｃの折曲線２２と山折り用の折曲線２４とによって外側に形成される角度を２等分する２等分線上に有する。また、一方の当該谷折り用の折曲線２３は、上下折り返し片２０ｂの折曲線２１と左右折り返し片２０ｃの折曲線２２とが交わる交点から上下折り返し片２０ｂの外側端部（図上では上端）まで延びるように形成され、他方の当該当該谷折り用の折曲線２３は、上下折り返し片２０ｂの折曲線２１と左右折り返し片２０ｃの折曲線２２とが交わる交点から左右折り返し片２０ｃの外側端部（図上では左端）まで延びるように形成される。なお、他の隅部も同様に谷折り用の折曲線２３を有するように構成する。このように谷折り用折曲線２３を構成することで、更に、隅部をきれいに折り畳むことができる。
【００３７】
次に、本実施形態のハードカバーの製造方法の一例について説明する。
【００３８】
（１）まず、写真紙５と、内側に透明な領域２０ａを有し当該写真紙５よりもひと回り大きな形状に形成された略矩形状のフィルム２０と、表紙部２に対応する写真紙５の領域の裏面及び背部３に対応する写真紙５の領域の裏面に貼着される厚紙ブロック４ａ〜４ｃを用意する。
【００３９】
（２）次に、図１０（ａ）に示すように、フィルム２０の四隅を斜めにカットする。なお、当該フィルム２０の隅部には、上記に説明したように、山折り用及び谷折り用の折曲線２３、２４が形成されていることが好ましい。
【００４０】
（３）次に、図１０（ｂ）に示すように、当該透明な領域２０ａに画像が表示されるようにして写真紙５をフィルム２０に接着剤により貼着する。
【００４１】
（４）次に、図１０（ｃ）に示すように、糊貼着装置４１により、写真紙５を含むフィルム２０の裏面の全領域に糊を塗布し、写真紙５の裏面の所定領域（表紙部２、背部３に対応するそれぞれの領域）に３つの厚紙ブロック４ａ〜４ｃを重ねて、対向配置されたローラ装置４２などを用いて圧着する。
【００４２】
（５）次に、図１０（ｄ）に示すように、ローラを備えた折り畳み装置４３を用いて、フィルム２０の上下折り返し片２０ｃを写真紙５の裏面側へと折り畳みつつ圧着するとともに、図１０（ｅ）に示すように、ローラを備えた折り畳み装置４３を用いて、フィルムの左右折り返し片２０ｂを写真紙５の裏面側へと折り畳みつつ圧着して、ハードカバーＨを製造する。
【００４３】
このように製造されたハードカバーＨは、写真紙５及び厚紙１０の周縁（端部）がフィルム２０で覆われ、フィルム２０の透明領域２０ａには、写真紙５の画像が表示されるようになっている。よって、複数の写真を出力して、そのうちの１枚を表紙としてハードカバーＨを備えたフォトブックを作成することが容易にできる。また、また、写真紙５はその表面がフィルム２０でカバーされているので写真紙５に汚れなどが付着するのを防止できるとともに汚れを容易にふき取ることが可能となる。さらに、ユーザのお気に入りの写真でハードカバーＨを容易に作成することができる。
【００４４】
なお、本発明は上記実施の形態に限定されるものではなく、本発明の要旨の範囲内で種々変更可能である。例えば、本実施形態の図５の説明では左右折り曲げ片を折り畳んだ後に上下折り曲げ片を折り畳み、一方で、図８の説明では上下折り曲げ片を折り畳んだ後に左右折り曲げ片を折り畳むようになっているが、この折り畳み方はどちらの折り曲げ片が先でも構わない。また、本実施形態のフィルムは折り畳みやすいように隅部をカットしているが、略矩形状であっても勿論構わない。また、本実施形態では、フィルム２０、３０の透明領域２０ａは、表紙部２と背部３とをあわせた大きさを有するようになっているが、表紙部２のみであっても構わないし、その一部であっても構わない。また、フィルム２０、３０全体を透明としても良いが、見栄えなどの点から写真紙５に対応した大きさ以下であることが好ましい。また、厚紙１０は、ボール紙に限られず、例えば、アクリル樹脂または塩ビプレートを用いることが可能である。
【符号の説明】
【００４５】
Ｈ  ハードカバー
２  表紙部
３  背部
５  写真紙
１０  厚紙
２０、３０  フィルム
２０ａ  透明領域
【図１】
2011056779.tif 000003
【図２】
2011056779.tif 000004
【図３】
2011056779.tif 000005
【図４】
2011056779.tif 000006
【図５】
2011056779.tif 000007
【図６】
2011056779.tif 000008
【図７】
2011056779.tif 000009
【図８】
2011056779.tif 000010
【図９】
2011056779.tif 000011
【図１０】
2011056779.tif 000012
【図１１】
2011056779.tif 000013